(57)【要約】【課題】  全ジョブのリストとそれから選別された選別ジョブのリストとを同一画面に表示する。【解決手段】  表示画面生成部１４は、ジョブ情報格納部１７に登録されたジョブあるいは実行されているジョブの総てのリストの画像データを生成する。処理制御部１１は、上記画像データに基づいて表示デバイス１２の表示エリアを２分割してなる第１エリアに全ジョブリストを表示する。データ選別処理部１８は、第１エリアに表示された全ジョブリストに対して選択項目での選別を行う。データ並び替え処理部１９は、上記選別されたジョブのリストに対して並び替えを行う。そして、並び替えられたジョブリストの情報に基づいて、表示画面生成部１４および処理制御部１１によって、表示デバイス１２の第２エリアに選別ジョブリストを表示する。【選択図】図２
2005346524.tif 000002
【特許請求の範囲】
【請求項１】
表示領域を分割してなる複数の分割表示領域を有する表示手段と、
上記複数の分割表示領域の何れか１つに、登録あるいは実行されたジョブの情報に関するリストであるジョブリストを表示するジョブリスト表示手段と、
操作者からの指示を受け付ける指示受付手段と、
上記操作者からの指示に応じた検索条件に基づいて、上記ジョブリスト表示手段によって表示されているジョブの情報から該当するジョブの情報を検索して選別するジョブ選別手段と、
上記ジョブ選別手段によって選別されたジョブの情報に関するリストである選別ジョブリストを、上記複数の分割表示領域のうち上記ジョブリストが表示されてはいない何れかの分割表示領域に表示する選別ジョブリスト表示手段
を備えたことを特徴とする表示装置。
【請求項２】
請求項１に記載の表示装置において、
上記操作者からの指示に従って、上記表示されたジョブの情報の中から、必要なジョブを検索する際の検索条件となる情報を選択する検索情報選択手段を備えて、
上記ジョブ選別手段は、上記検索情報選択手段によって選択された情報を検索条件として、上記検索を行うようになっている
ことを特徴とする表示装置。
【請求項３】
請求項２に記載の表示装置において、
上記表示手段は操作者による操作を受け付けることが可能であり、
上記表示領域上における操作者による操作位置を取得する操作位置取得手段を備えて、
上記検索情報選択手段は、上記操作位置取得手段によって取得された操作位置に表示されているジョブの情報を上記検索条件となる情報として選択するようになっている
ことを特徴とする表示装置。
【請求項４】
請求項２に記載の表示装置において、
上記ジョブリストにおける上記ジョブの情報は項目別に分類されて表示されており、
上記検索情報選択手段は、上記分類された項目のうちの何れかの項目の内容を選択することによって上記検索条件となる情報を選択するようになっている
ことを特徴とする表示装置。
【請求項５】
請求項１に記載の表示装置において、
上記ジョブ選別手段は、上記選別したジョブの情報を、上記ジョブリストにおける上記ジョブの情報の配列順に従った順に配列するようになっている
ことを特徴とする表示装置。
【請求項６】
請求項２に記載の表示装置において、
上記ジョブ選別手段によって選別されたジョブの情報を、上記検索条件の単位で、上記検索情報選択手段による上記検索条件の選択順序に従って並び替えるジョブ情報並び替え手段
を備えて、
上記選別ジョブリスト表示手段は、上記ジョブ情報並び替え手段によって並び替えられた後の上記選別されたジョブの情報に基づいて上記選別ジョブリストを表示するようになっている
ことを特徴とする表示装置。
【請求項７】
請求項１に記載の表示装置を搭載していることを特徴とする画像処理装置。
【請求項８】
表示領域を分割してなる複数の分割表示領域における１つの分割表示領域に、登録あるいは実行されたジョブの情報に関するリストであるジョブリストを表示し、
上記表示されたジョブの情報から、必要なジョブを検索する際の検索条件となる情報を選択し、
操作者からの指示を受け付け、
上記操作者からの指示に応じた検索条件に基づいて、上記表示されているジョブの情報から該当するジョブの情報を検索して選別し、
上記選別されたジョブの情報に関するリストである選別ジョブリストを、上記複数の分割表示領域のうち上記ジョブリストが表示されてはいない何れかの分割表示領域に表示する
ことを特徴とする表示方法。
【請求項９】
コンピュータを、
表示領域を分割してなる複数の分割表示領域における１つの分割表示領域に、登録あるいは実行されたジョブの情報に関するリストであるジョブリストを表示するジョブリスト表示手段と、
操作者からの指示を受け付ける指示受付手段と、
上記操作者からの指示に応じた検索条件に基づいて、上記ジョブリスト表示手段によって表示されているジョブの情報から該当するジョブの情報を検索して選別するジョブ選別手段と、
上記ジョブ選別手段によって選別されたジョブの情報に関するリストである選別ジョブリストを、上記複数の分割表示領域のうち上記ジョブリストが表示されてはいない何れかの分割表示領域に表示する選別ジョブリスト表示手段
として機能させることを特徴とする表示プログラム。
【請求項１０】
請求項９に記載の表示プログラムが記録されたことを特徴とするコンピュータ読出し可能なプログラム記録媒体。
【発明の詳細な説明】
【技術分野】
【０００１】
この発明は、一つの表示画面に複数の表示領域を設定できる表示装置、表示方法、表示プログラム、プログラム記録媒体、および、画像処理装置に関する。
【背景技術】
【０００２】
近年、画像形成,画像読取および画像送受信等を行う画像処理装置において、多機能化することによって、登録されたジョブのリストを表示パネル等に一覧表示する必要が出てきている。このように、表示画面にジョブリストを表示する画像処理装置として、従来以下のようなものが提案されている(例えば、特開２００２‐７０７９号公報(特許文献１),特開２００１‐１５４７７３号公報(特許文献２),特開２０００‐２９６４４号公報(特許文献３)参照)。
【０００３】
上記特許文献１に開示された画像形成システムは、ドキュメントサーバコンピュータと複数のクライアントコンピュータとがネットワークを介して接続され、上記ドキュメントサーバコンピュータとカラーＭＦＰ(Multi Function Peripheral)とが専用インターフェイスを介して接続され、上記ドキュメントサーバコンピュータと複数の白黒ＭＦＰおよびプリンタとがネットワークを介して接続され構成されている。そして、上記クライアントコンピュータまたはドキュメントサーバコンピュータ自身からドキュメントサーバコンピュータヘジョブを入力すると、この入力されたジョブの情報が上記ドキュメントサーバコンピュータからカラーＭＦＰ,白黒ＭＦＰ,プリンタに出力されて、上記ドキュメントサーバコンピュータ内のジョブが予め決められた順序に並べ替えられて表示される。
【０００４】
また、上記特許文献２に開示された情報表示システムにおいては、操作パネルのＬＣＤ表示部に、任意の処理動作の条件指示を入力するための入力指示画面(基本画面)と、任意の処理動作の状況を確認するための状況確認画面(ジョブステータス画面)とが、切り換え表示可能になっている。そして、上記基木画面を優先的に表示している場合には、上記ジョブステータス画面が表示している処理動作の内容を簡潔に表示するジョブリスト領域を併せて表示するようになっている。
【０００５】
また、上記特許文献３に開示された画像形成装置は、履歴記憶部と画像メモリとを含む画像入出力制御部と、操作部を含むデジタル複写機本体とで構成されている。そして、上記履歴記憶部に記憶された過去に行った画像形成ジョブの実行履歴と、入力されて上記画像メモリに記憶された画像形成ジョブの実行状況とを、上記操作部のタッチパネルに一覧表示する。
【０００６】
ところで、場合によっては、あるいは、ユーザーによっては、画像処理装置において、登録されたジョブのリストを表示画面に一覧表示している際に、表示されているジョブリストから操作者が選択した特定項目に関するジョブのみを選別して限定されたジョブの一覧表を表示することによって、必要な情報を簡単に選択・取得してその状況を確認したいという要望が生ずる。
【０００７】
しかしながら、上記特許文献１に開示された画像形成システム,特許文献２に開示された情報表示システムおよび特許文献３に開示された画像形成装置においては、何れも、登録されたジョブリストあるいは実行予定のジョブリストを表示するのみであり、この表示されている全ジョブリストから所定の条件によって選択された選択ジョブリストを表示することはできない。したがって、上記特許文献１〜特許文献３においては、表示されたジョブ一覧から確認したいジョブのみを目視によって見い出して、現在の状況を確認するという面倒な動作が必要となる。
【特許文献１】特開２００２‐７０７９号公報
【特許文献２】特開２００１‐１５４７７３号公報
【特許文献３】特開２０００‐２９６４４号公報
【発明の開示】
【発明が解決しようとする課題】
【０００８】
そこで、この発明の課題は、登録あるいは実行されたジョブのリストと、このジョブリストから所定の条件によって選別された選別ジョブのリストとを、同時に表示できる表示装置,表示方法,表示プログラムおよびプログラム記録媒体、並びに、上記表示装置を搭載した画像処理装置を提供することにある。
【課題を解決するための手段】
【０００９】
上記課題を解決するため、この発明の表示装置は、表示領域を分割してなる複数の分割表示領域を有する表示手段と、上記複数の分割表示領域の何れか１つに、登録あるいは実行されたジョブの情報に関するリストであるジョブリストを表示するジョブリスト表示手段と、操作者からの指示を受け付ける指示受付手段と、上記操作者からの指示に応じた検索条件に基づいて、上記ジョブリスト表示手段によって表示されているジョブの情報から該当するジョブの情報を検索して選別するジョブ選別手段と、上記ジョブ選別手段によって選別されたジョブの情報に関するリストである選別ジョブリストを、上記複数の分割表示領域のうち上記ジョブリストが表示されてはいない何れかの分割表示領域に表示する選別ジョブリスト表示手段を備えたことを特徴としている。
【００１０】
上記構成によれば、操作者からの指示に応じた検索条件に該当するジョブの情報が、表示されているジョブの情報から選別されて、上記ジョブリストが表示されている分割表示領域とは異なる他の分割表示領域に選別ジョブリストが表示される。したがって、操作者が指示した特定情報に関するジョブのみが選別されて、必要なジョブの情報が簡単に選択・取得される。
【００１１】
また、１実施例の表示装置では、上記操作者からの指示に従って、上記表示されたジョブの情報の中から、必要なジョブを検索する際の検索条件となる情報を選択する検索情報選択手段を備えて、上記ジョブ選別手段は、上記検索情報選択手段によって選択された情報を検索条件として、上記検索を行うようになっている。
【００１２】
この実施例によれば、操作者による上記検索条件の指示が、上記表示されたジョブの情報の中から上記検索条件となる情報を選択することによって簡単に行われる。
【００１３】
また、１実施例の表示装置では、上記表示手段は操作者による操作を受け付けることが可能であり、上記表示領域上における操作者による操作位置を取得する操作位置取得手段を備えて、上記検索情報選択手段は、上記操作位置取得手段によって取得された操作位置に表示されているジョブの情報を上記検索条件となる情報として選択するようになっている。
【００１４】
この実施例によれば、操作者は、表示されているジョブリストのうち上記検索条件とすべき情報の表示位置を、例えば指によってタッチするだけで、簡単に、上記検索条件となる情報を選択することができる。
【００１５】
また、１実施例の表示装置では、上記ジョブリストにおける上記ジョブの情報は項目別に分類されて表示されており、上記検索情報選択手段は、上記分類された項目のうちの何れかの項目の内容を選択することによって上記検索条件となる情報を選択するようになっている。
【００１６】
この実施例によれば、上記ジョブリストにおける上記情報は項目別に分類されているため、操作者は、上記項目を参照して操作性良く上記検索条件となる情報を選択することができる。
【００１７】
また、１実施例の表示装置では、上記ジョブ選別手段は、上記選別したジョブの情報を、上記ジョブリストにおける上記ジョブの情報の配列順に従った順に配列するようになっている。
【００１８】
この実施例によれば、上記選別ジョブリストにおける上記ジョブの情報の配列順が、例えばＩＤや登録日付の昇順等の日頃から操作者が慣れ親しんでいる上記ジョブリストにおける配列順と同じになるため、操作者の利便性が向上する。
【００１９】
また、１実施例の表示装置では、上記ジョブ選別手段によって選別されたジョブの情報を、上記検索条件の単位で、上記検索情報選択手段による上記検索条件の選択順序に従って並び替えるジョブ情報並び替え手段を備えて、上記選別ジョブリスト表示手段は、上記ジョブ情報並び替え手段によって並び替えられた後の上記選別されたジョブの情報に基づいて上記選別ジョブリストを表示するようになっている。
【００２０】
通常、操作者は、上記検索条件を選択する場合に、注目している情報に関する検索条件を先に選択することが多い。この実施例によれば、操作者によって先に選択された検索条件に基づいて選別されたジョブの情報が、後に選択された検索条件に基づいて選別されたジョブの情報よりも先に表示される。したがって、操作者が確認したいジョブの情報が先に表示されることになり、操作者の利便性が向上する。
【００２１】
また、この発明の画像処理装置は、請求項１に記載の表示装置を搭載していることを特徴としている。
【００２２】
上記構成によれば、表示手段の表示領域を分割してなる複数の分割表示領域の１つにジョブリストが表示されている際に、操作者からの指示があると、この操作者からの指示に応じた検索条件に該当するジョブの情報が選別されて他の分割表示領域に選別ジョブリストが表示される。したがって、操作者が必要とするジョブの情報を簡単に選択・取得できる。
【００２３】
また、この発明の表示方法は、表示領域を分割してなる複数の分割表示領域における１つの分割表示領域に、登録あるいは実行されたジョブの情報に関するリストであるジョブリストを表示し、上記表示されたジョブの情報から、必要なジョブを検索する際の検索条件となる情報を選択し、操作者からの指示を受け付け、上記操作者からの指示に応じた検索条件に基づいて、上記表示されているジョブの情報から該当するジョブの情報を検索して選別し、上記選別されたジョブの情報に関するリストである選別ジョブリストを、上記複数の分割表示領域のうち上記ジョブリストが表示されてはいない何れかの分割表示領域に表示することを特徴としている。
【００２４】
また、この発明の表示プログラムは、コンピュータを、表示領域を分割してなる複数の分割表示領域における１つの分割表示領域に、登録あるいは実行されたジョブの情報に関するリストであるジョブリストを表示するジョブリスト表示手段と、操作者からの指示を受け付ける指示受付手段と、上記操作者からの指示に応じた検索条件に基づいて、上記ジョブリスト表示手段によって表示されているジョブの情報から該当するジョブの情報を検索して選別するジョブ選別手段と、上記ジョブ選別手段によって選別されたジョブの情報に関するリストである選別ジョブリストを、上記複数の分割表示領域のうち上記ジョブリストが表示されてはいない何れかの分割表示領域に表示する選別ジョブリスト表示手段として機能させることを特徴としている。
【００２５】
また、この発明のプログラム記録媒体は、上記表示プログラムが記録されたことを特徴としている。
【００２６】
上記各構成によれば、表示手段の表示領域を分割してなる複数の分割表示領域の１つにジョブリストが表示されている際に、操作者からの指示があると、この操作者からの指示に応じた検索条件に該当するジョブの情報が選別されて、他の分割表示領域に選別ジョブリストが表示される。そのため、操作者が必要とするジョブの情報を簡単に選択・取得でき、利便性が向上する。
【発明の効果】
【００２７】
以上より明らかなように、この発明によれば、操作者からの指示に応じた検索条件に該当するジョブの情報が、複数の分割表示領域の１つに表示されているジョブリストから選別され、他の分割表示領域に選別ジョブリストが表示されるため、操作者の利便性を向上させることができる。
【発明を実施するための最良の形態】
【００２８】
以下、この発明を図示の実施の形態により詳細に説明する。図１は、本実施の形態の表示装置が搭載された画像処理装置の概略構成を示す。この画像処理装置は、大きくは、原稿の画像を読み取って画像データを生成する読取部１と、この読取部１によって得られた画像データに基づいて用紙に印字を行う印字部２と、この印字部２に用紙を供給する給紙部３を備えている。また、詳述はしないが、通信ネットワークと接続する通信Ｉ/Ｆを備えている。
【００２９】
上記読取部１では、原稿を露光・スキャンしてＣＣＤセンサ(図示せず)等によって画像信号を得、さらに、二値化処理,画質補正,変倍,画像編集等の画像処理を行い、得られた画像データを画像記憶部(図示せず)に記憶する。印字部２は、上記画像記憶部からの画像データに基づいて、イエロー(Ｙ)用の感光体ドラム４の表面に静電潜像を形成し、その静電潜像上にイエローのトナーを付着させてイエローのトナー像を形成する。同様に、マゼンタ(Ｍ)用の感光体ドラム５の表面にマゼンタのトナー像を形成し、シアン(Ｃ)用の感光体ドラム６の表面にシアンのトナー像を形成し、ブラック(Ｋ)用の感光体ドラム７の表面にブラックのトナー像を形成する。
【００３０】
そして、夫々の感光体ドラム４〜７の表面のトナー像は、給紙部３から供給されて用紙搬送路８を搬送される用紙の表面に順次転写される。そして、画像が転写された用紙は、夫々の感光体ドラム４〜７の表面から分離され、転写後の各感光体ドラム４〜７の表面は、クリーニング装置(図示せず)によって清掃される。
【００３１】
また、上記構成を有する画像処理装置においては、操作者が入力を行うための操作パネル(特に図示はしないが、例えば、図１における画像処理装置の上部手前側に略水平に設置されている)が配置されている。そして、この操作パネルには、画像形成,画像読取および画像送受信に関するジョブ情報を表示するための液晶表示ディスプレイ等で構成される表示デバイスが設けられている。
【００３２】
ところで、上記構成を有する画像処理装置においては、複数の種類の処理(コピー,スキャンおよびファックス等)が可能である。そのために、再利用するためにジョブの一覧を表示した際に、欲しい処理のみを人為的に拾い出すことは非常に困難である。そこで、本実施の形態においては、例えば「コピー」だけのジョブを抜き出してサブ画面に一覧表示できるようにするのである。
【００３３】
図２は、本実施の形態の表示装置における機能的構成を示すブロック図である。本表示装置は、処理制御部１１,表示デバイス１２,座標データ取得部１３,表示画面生成部１４,グラフィックデータ格納部１５,文字列データ格納部１６,ジョブ情報格納部１７,データ選別処理部１８およびデータ並び替え処理部１９で概略構成されている。ここで、表示デバイス１２は、操作者による操作を受け付けることが可能になっている。具体的には、表示デバイス１２は液晶タッチパネルを備えているものとする。尚、表示デバイス１２は、単純に情報表示のみを行うデバイスであっても差し支えない。
【００３４】
上記座標データ取得部１３は、表示デバイス１２からの信号を監視しており、表示デバイス１２からの信号に基づいて操作者による表示デバイス１２に対する操作(例えば、指によるタッチ等)を検知し、表示デバイス１２の上記表示エリア上における操作位置を表す座標を取得する。そして、この取得した座標を処理制御部１１に出力する。処理制御部１１は、座標データ取得部１３からの表示デバイス１２上の操作位置を表す座標データと自らが表示デバイス１２に出力した表示画面データとの比較結果から、表示デバイス１２に対する操作指示の内容を判断する。そして、判断結果に応じて、表示画面生成部１４に対して、表示する画面の内容を表す制御信号を出力したり、図２に示す表示装置以外の装置に対して、例えば原稿の読み込み動作等の処理の実行を促すイベントを生成して出力したりする。
【００３５】
上記表示画面生成部１４は、上記処理制御部１１からの上記制御信号に基づいて表示する画面の画像データを生成し、処理制御部１１に出力する。さらに、表示画面生成部１４は、表示文字および表示画面の拡大処理をも行うようになっている。その場合における拡大文字のサイズは、認識し易い文字サイズに固定してもよいが、文字サイズ変更手段を設けて必要に応じて文字サイズを変更可能にしても差し支えない。尚、本実施の形態においては、拡大文字のサイズは固定の文字サイズであるとする。
【００３６】
上記表示画面生成部１４によって生成される画像データは、グラフィックデータと文字列データとから構成される。尚、これらのグラフィックデータおよび文字列データは、表示画面生成部１４がアクセス可能なデータ構成で、上記グラフィックデータはグラフィックデータ格納部１５に格納される一方、文字列データは文字列データ格納部１６に格納されている。この場合、データの格納ファイル名、あるいはファイルの形式名、あるいはデータに属性情報を持たせること等によって、グラフィックデータか文字列データかの識別を可能にしている。さらに、表示画面生成部１４は、ジョブ情報格納部１７に登録されたジョブあるいは実行されているジョブに付加されている各種属性情報に対してアクセスすることが可能になっている。そして、ジョブ情報格納部１７に登録されたジョブあるいは実行されているジョブの総てのリストの画像データを生成する。
【００３７】
データ選別処理部１８は、上記表示画面生成部１４によってジョブ情報格納部１７から読み出されたジョブ情報に対して、特定の項目での選別を行う。また、データ並び替え処理部１９は、データ選別処理部１８によって選別されたジョブ情報に基づくジョブリストに対して特定のキーワードでの並び替えを行う。そして、並び替えられたジョブリストの情報が選別ジョブリストの情報として表示画面生成部１４に送出される。そうすると、表示画面生成部１４によって上記選別ジョブリストの画面データが生成され、この画面データに基づいて表示ディバイス１２に上記選別ジョブリストの画面が表示されるのである。
【００３８】
ここで、上記機能的構成を有する表示装置の具体的ハードウェア構成は、後述する選別ジョブリスト生成処理を実行するプログラムを含む各種プログラムを記憶するプログラムメモリ、各種情報を記憶するデータメモリ、通信ネットワークと接続する通信Ｉ/Ｆ、入力装置、出力装置、表示デバイス１２、外部記録媒体がセットされてこの外部記録媒体をアクセスする外部補助記憶装置、上記プログラムメモリ,データメモリ,通信Ｉ/Ｆ,入力装置,出力装置,表示デバイス１２および外部補助記憶装置等を制御して、選別ジョブリスト生成処理等を実行するＣＰＵ(中央演算処理装置)等で成る。
【００３９】
すなわち、上記処理制御部１１,座標データ取得部１３,表示画面生成部１４,データ選別処理部１８およびデータ並び替え処理部１９は上記ＣＰＵで構成され、グラフィックデータ格納部１５,文字列データ格納部１６およびジョブ情報格納部１７は、上記データメモリや外部補助記憶装置で構成されるのである。また、上記ＣＰＵは、上述した各部１１,１３,１４,１８,１９による本実施の形態に係る処理動作の他に、演算・判断処理,計時処理および入出力処理等の各種の処理動作をも行うようになっている。尚、上記選別ジョブリスト生成処理プログラムは、上記外部記録媒体や通信ネットワークから上記プログラムメモリにインストールしても差し支えない。
【００４０】
図３は、上記処理制御部１１による制御の下に主として表示画面生成部１４,データ選別処理部１８およびデータ並び替え処理部１９によって実行される選別ジョブリスト生成処理動作のフローチャートである。以下、図３に従って、選別ジョブリスト生成処理動作について説明する。
【００４１】
ステップＳ1で、上記データメモリ等に設定される選択項目数ｓの値が「０」にセットされる。ステップＳ2で、表示デバイス１２の表示領域を２分割してなる２つの分割表示エリアの一方であるエリアＢに表示されている全ジョブリストから、操作者によって一つの項目が選択されたか否かが判別される。その結果、項目が選択された場合にはステップＳ3に進む。ここで、上記ジョブリストとはジョブの属性情報の一覧であり、上記情報は各項目に分類されている。そして、「項目の選択」とは、上記ジョブリストの中から特定の項目に属している特定の内容を選択することを指す。尚、以下の説明で「項目」と言う場合には、その項目に属している「内容」までも含む概念である。
【００４２】
また、上記エリアＢには全ジョブリストを表示するようにしているが、このエリアＢに表示されるジョブリストは、必ずしも、登録され、実行された総てのジョブのリストで無くとも構わない。例えば、所定の期間に実行されたジョブのリストを表示しても差し支えない。
【００４３】
ステップＳ3で、選択項目に優先順位ｓを付加して「選択項目(ｓ)」として上記データメモリ等に登録される。この場合は、選択順番が早い(つまり、選択項目数ｓの値が小さい)程優先度が高いことになる。ステップＳ4で、操作者によって次の項目が選択されたか否かが判別される。その結果、選択された場合にはステップＳ5に進む。一方、選択されない場合にはステップＳ6に進む。尚、上記ステップＳ2およびステップＳ4において行われる判別は、例えば、所定時間内に項目の選択があったか否かを判別することによって行えばよい。ステップＳ5で、選択項目数ｓの値がインクリメントされた後、上記ステップＳ3にリターンする。そして、上記ステップＳ4において選択されないと判別された場合にはステップＳ6に進む。
【００４４】
ステップＳ6で、上記データメモリ等に設定される選別項目数ｋの値が「０」にセットされる。ステップＳ7で、ジョブ情報格納部１７に登録されている全ジョブから優先順位ｓ＝ｋである「選択項目(ｋ)」によってジョブが選別される。ステップＳ8で、選別項目数ｋの値がインクリメントされる。ステップＳ9で、選別項目数ｋの値が選択項目数ｓの値よりも大きいか否かが判別される。その結果、大きければステップＳ10に進み、大きくなければ上記ステップＳ7に戻って次の優先順位の選択項目によるジョブの選別処理に移行する。
【００４５】
ステップＳ10で、上記選別された総てのジョブを用いて、選別ジョブリストが生成される。ステップＳ11で、生成された選別ジョブリストが表示デバイス１２のエリアＡに表示される。そうした後、選別ジョブリスト生成処理動作が終了する。
【００４６】
その際に、上記ステップＳ7において実行されるジョブの選別処理では、優先順位の高い選択項目によって既に選別されているジョブは選別対象から外す。つまり、先ず、優先順位の最も高い選択項目によって全ジョブを選別する。そして、選別されたジョブ以外の全ジョブが、次に優先順位が高い選択項目による選別の対象となるのである。
【００４７】
また、上記ステップＳ10において実行される選別ジョブリストの生成では、優先順位の高い選択項目によって選別されたジョブのリストが最初に表示されるように、生成された選別ジョブリストのデータを、既に生成されているより優先順位の高い選択項目によって選別された選別ジョブリストデータの次に、追加登録されるようになっている。そして、上記ステップＳ11において実行される選別ジョブリストの表示の際には、選別ジョブリストデータの並び順で、並びの早い選別ジョブリストデータを優先的に表示するのである。
【００４８】
図４は、上記選別ジョブリスト生成処理動作による選別ジョブリストの生成手順の説明図である。図４(a)は、上記ジョブ情報格納部１７に登録されている全ジョブ情報に基づいて、表示デバイス１２のエリアＢに表示されている全ジョブのリストである。この全ジョブのリストに対して、先ず、データ選別処理部１８によって、ｋ＝０である「選択項目(０)：種類＝コピー」によってジョブが選別(「選別‐０」)される。この「選別‐０」においては、選択項目としてデータの種類が「コピー」であるジョブデータをジョブ情報格納部１７からＩＤ順に検索し、上記「コピー」に一致したジョブデータを順に並べて、図４(b)の「選別‐０の結果」に示すようなジョブリストを生成する。
【００４９】
同様に、ｋ＝１である「選択項目(１)：送信元＝部門：１８」によって、ジョブが選別(「選別‐１」)される。この「選別‐１」においては、選択項目である送信元が「部門:１８」であるジョブデータを、全ジョブリストから上記選別‐０の結果を除いたジョブデータからＩＤ順に検索し、上記「部門:１８」に一致したジョブデータを順に並べて、図４(b)の「選別‐１の結果」に示すようなジョブリストを生成する。
【００５０】
尚、本例においては、選択項目は「種類＝コピー」と「送信元＝部門：１８」との２選択項目として説明している。しかしながら、さらに選択項目があれば、全ジョブリストから既に選別されているジョブデータを除くジョブデータを対象にして選別動作を繰り返せば良い。
【００５１】
こうして、上記「選別‐０の結果」と「選別‐１の結果」とが得られると、データ並び替え処理部１９によって、「選別‐０の結果」に「選別‐１の結果」を加えることで優先順位が高い選択項目の順に並び替えられた選別ジョブリストが生成されるのである。
【００５２】
図５は、上述のようにして生成された選別ジョブリストの表示例を示す。本実施の形態においては、表示デバイス１２の表示領域を２分割してなる２つの分割表示エリア(エリアＡ,Ｂ)に対する表示を例に説明をするが、さらに多くの分割表示エリアからなる表示領域であっても差し支えない。また、本実施の形態では、エリアＢに全ジョブリストを表示する一方、エリアＡに選別ジョブリストを表示する場合を例に説明するが、エリアの位置関係は逆であっても構わない。
【００５３】
本実施の形態においては、上記エリアＡに上記選別ジョブリストを表示する際に、エリアの大きさによる制限によって、エリアＢで表示されている項目の全てを表示することができない。そのために、選別ジョブリストを部分的に表示し、「左」キー２１と「右」キー２２とを操作することによって表示画面を図中で左右にスクロールさせて、エリアＢで表示されている項目の全てをエリアＡにも表示可能にしている。
【００５４】
さらに、上記エリアＢにおいて、例えば、選別したい項目の表示領域を指でタッチすることによって選択すると、選択が有効であることを示すために、選択項目が画面上で反転表示される。こうして選別が有効になると、上述したように、データ選別処理部１８によってジョブリストの選別が開始され、その結果がエリアＡに表示されるのである。また、上述したように、エリアＢにおいて複数の項目を選択することが可能であり、項目の選択順序が選別の優先順位として登録される。そして、複数の選択項目が設定された場合、複数の選択項目で共通に選別されたジョブは、優先順位の高い項目の選択結果として表示される。図５では、優先順位が第１位の選択項目「種類」とその内容「コピー」とが選択され、第２位の選択項目「送信元」とその内容「部門：１８」とが選択された場合における全ジョブリストと選別ジョブリストとの表示例である。この場合、ＩＤ＝１１１１５のジョブ情報は、項目「送信元＝部門：１８」が選択されたにも拘らず、より優先順位が高い選択項目「種類＝コピー」で選別されて表示されている。
【００５５】
また、図６は、上記エリアＡに表示された全ジョブリストから、欲しい処理「コピー」だけのジョブを抜き出してエリアＢに一覧表示した場合の表示例を示す。
【００５６】
尚、本実施の形態においては、図５および図６に示すように、ジョブリストの表示項目としてジョブを識別するための番号,ジョブの種類,ジョブの登録日時,ファイル名および送信元を挙げたが、用途によって表示項目を変更しても差し支えない。さらに、表示項目の表示位置も変更しても一向に構わない。
【００５７】
また、上記エリアＢにおいて項目を選択する場合に、選択項目の表示領域を指でタッチすることで行っているが、この発明はこれに限定されるものではない。例えば、上記操作パネルに設けられたキーによるカーソル操作と「ＯＫ」キーの押下とによって選択することもできる。
【００５８】
また、上述のように、上記エリアＢに表示された各ジョブの項目を画面上で直接選択する他に、エリアＡに別途検索条件や上記検索条件を特定する情報を入力する画面を表示して、この画面から上記検索条件や上記検索条件を特定する情報を選択あるいは入力するようにしても構わない。つまり、検索条件の入力方法は、如何なる方法によっても差し支えないのである。
【図面の簡単な説明】
【００５９】
【図１】この発明の表示装置が搭載された画像処理装置の概略構成を示す図である。
【図２】この発明の表示装置におけるブロック図である。
【図３】選別ジョブリスト生成処理動作のフローチャートである。
【図４】選別ジョブリストの生成手順の説明図である。
【図５】選別ジョブリストの表示例を示す図である。
【図６】図５とは異なる選別ジョブリストの表示例を示す図である。
【符号の説明】
【００６０】
１…読取部、
２…印字部、
３…給紙部、
４,５,６,７…感光体ドラム、
８…用紙搬送路、
１１…処理制御部、
１２…表示デバイス、
１３…座標データ取得部、
１４…表示画面生成部、
１５…グラフィックデータ格納部、
１６…文字列データ格納部、
１７…ジョブ情報格納部、
１８…データ選別処理部、
１９…データ並び替え処理部、
２１…「左」キー、
２２…「右」キー。
【図１】
2005346524.tif 000003
【図２】
2005346524.tif 000004
【図３】
2005346524.tif 000005
【図４】
2005346524.tif 000006
【図５】
2005346524.tif 000007
【図６】
2005346524.tif 000008